(57)【要約】      （修正有）【課題】従来に比べて成績係数が向上したヒートポンプ給湯装置を提供する。【解決手段】筐体７と、筐体内に配設された圧縮機と高圧側熱交換器２と膨張機構と低圧側熱交換器４と冷媒配管と、送風ファン６とを有するヒートポンプユニットＢと、筐体と、筐体内に配設された貯湯タンクと湯水配管とを有するタンクユニットと、ポンプとを備え、タンクユニットとヒートポンプユニットとは一体に連結固定され、高温高圧の冷媒が高圧側熱交換器を通過する水に放熱し、低温低圧の冷媒が外気から吸熱し、低圧側熱交換器はヒートポンプユニットの筐体の内部空間を横切って延在して前記内部空間を２つの区画に区分し、圧縮機から膨張機構に至る冷媒回路の高圧側部分が第１区画に配設され、外気はヒートポンプユニットの筐体外から第１区画に流入し、低圧側熱交換器を通過して第２区画に流入し、第２区画からヒートポンプユニットの筐体外へ流出する。【選択図】図３
2010096461.tif 000002
【特許請求の範囲】
【請求項１】
筐体と、筐体内に配設された圧縮機と高圧側熱交換器と膨張機構と低圧側熱交換器とこれらの機器を順次連結して冷媒回路を形成する冷媒配管と、筐体に通風する送風ファンとを有するヒートポンプユニットと、筐体と、筐体内に配設された貯湯タンクとヒートポンプユニットの高圧側熱交換器に貯湯タンクを接続して湯水回路を形成する湯水配管とを有するタンクユニットと、湯水回路内の湯水を循環駆動するポンプとを備え、タンクユニットとヒートポンプユニットとは一体に連結固定され、高圧側熱交換器を通過する高温高圧の冷媒が貯湯タンクから供給されて高圧側熱交換器を通過する水に放熱し、低圧側熱交換器を通過する低温低圧の冷媒が低圧側熱交換器を通過する外気から吸熱し、低圧側熱交換器はヒートポンプユニットの筐体の内部空間を横切って延在して前記内部空間を２つの区画に区分し、圧縮機から膨張機構に至る冷媒回路の高圧側部分が第１区画に配設され、外気はヒートポンプユニットの筐体外から第１区画に流入し、低圧側熱交換器を通過して第２区画に流入し、第２区画からヒートポンプユニットの筐体外へ流出することを特徴とするヒートポンプ給湯装置。
【請求項２】
ヒートポンプユニットの高圧側熱交換器とタンクユニットの湯水配管との接続はワンタッチ接続具を介して行われることを特徴とする請求項１に記載のヒートポンプ給湯装置。
【請求項３】
圧縮機はインバータ制御の電動圧縮機であり、インバータ制御装置が第１区画に配設されていることを特徴とする請求項１又は２に記載のヒートポンプ給湯装置。
【請求項４】
圧縮機はインバータ制御の電動圧縮機であり、インバータ制御装置は第２区画に配設され、送風ファンは第２区画に配設された排気用ファンであり、インバータ制御装置の放熱器が低圧側熱交換器から排気用ファンに至る空気流中に暴露されていることを特徴とする請求項１又は２に記載のヒートポンプ給湯装置。
【請求項５】
インバータ制御装置の放熱器が排気用ファンの吸気口近傍に配設されていることを特徴とする請求項４に記載のヒートポンプ給湯装置。
【請求項６】
送風ファンは第２区画に配設された排気用の両吸い込みの遠心ファンであり、低圧側熱交換器の延在方向に吸気口を差し向けて配設されていることを特徴とする請求項１乃至５の何れか１項に記載のヒートポンプ給湯装置。
【請求項７】
両吸い込み遠心ファンのファンモータ側の翼の翼幅と反対側の翼の翼幅とは同一であり、両吸い込み遠心ファンは第２区画内で低圧側熱交換器の延在方向中央部に対峙する位置からファンモータ側に片寄せて配設されていることを特徴とする請求項６に記載のヒートポンプ給湯装置。
【請求項８】
両吸い込み遠心ファンのファンモータ側の翼の翼幅と反対側の翼の翼幅とは同一であり、低圧側熱交換器のファンモータ側の端部が第２区画側へ屈曲又は湾曲していることを特徴とする請求項６に記載のヒートポンプ給湯装置。
【請求項９】
両吸い込み遠心ファンのファンモータ側の翼の翼幅と反対側の翼の翼幅とは同一であり、低圧側熱交換器のファンモータ側とは反対側の端部が第１区画側へ屈曲又は湾曲していることを特徴とする請求項６に記載のヒートポンプ給湯装置。
【請求項１０】
両吸い込み遠心ファンのファンモータ側の翼の翼幅が反対側の翼の翼幅よりも広いことを特徴とする請求項６に記載のヒートポンプ給湯装置。
【請求項１１】
互いに間隔を隔てて積層され低圧側熱交換器から排気用両吸い込み遠心ファンの吸気口へ延びる複数の案内板が第２区画に配設されていること特徴とする請求項６に記載のヒートポンプ給湯装置。
【請求項１２】
送風ファンは第１区画に給気する給気用ファンであることを特徴とする請求項１又は２に記載のヒートポンプ給湯装置。
【請求項１３】
タンクユニット上にヒートポンプユニットが載置固定されることを特徴とする請求項１乃至１２の何れか１項に記載のヒートポンプ給湯装置。
【請求項１４】
ヒートポンプユニットの筐体を上方から見て、低圧側熱交換器が筐体を横断して延在し、第１区画の天井壁に給気口が形成され、第２区画の天井壁に排気口が形成されていることを特徴とする請求項１３に記載のヒートポンプ給湯装置。
【請求項１５】
ヒートポンプユニットの筐体は上面視で正方形断面を有し、低圧側熱交換器は前記正方形断面の１の隅部から対角線上で対峙する他の１の隅部へ向けて延在し、第１区画の天井壁に給気口が形成され、第２区画の天井壁に排気口が形成されていることを特徴とする請求項１３に記載のヒートポンプ給湯装置。
【請求項１６】
前記１の隅部と他の１の隅部とを結ぶ対角線に直交する対角線の一方の端部近傍に給気口が配設され、他方の端部近傍に排気口が配設されていることを特徴とする請求項１５に記載のヒートポンプ給湯装置。
【請求項１７】
低圧側熱交換器はヒートポンプユニットの筐体底壁上に立設され、送風ファンは第２区画に配設された排気用遠心ファンであり、排気用遠心ファンはヒートポンプユニットの筐体底壁から上方に持ち上げられていることを特徴とする請求項１４乃至１６の何れか１項に記載のヒートポンプ給湯装置。
【請求項１８】
低圧側熱交換器はヒートポンプユニットの筐体底壁上に立設され、給気口下方の第１区画底部に給気口から流入する気流を乱す邪魔部材が配設されていること特徴とする請求項１４乃至１６の何れか１項に記載のヒートポンプ給湯装置。
【請求項１９】
低圧側熱交換器はヒートポンプユニットの筐体底壁上に立設され、互いに間隔を隔てて上下方向に積層され給気口から低圧側熱交換器へ向けて延びる複数の案内板が第１区画に配設されていること特徴とする請求項１４乃至１６の何れか１項に記載のヒートポンプ給湯装置。
【請求項２０】
ヒートポンプユニットの冷媒は自然系冷媒であること特徴とする請求項１乃至１９の何れか１項に記載のヒートポンプ給湯装置。
【請求項２１】
筐体と、筐体内に配設された圧縮機と高圧側熱交換器と膨張機構と低圧側熱交換器とこれらの機器を順次連結して冷媒回路を形成する冷媒配管と、筐体に通風する送風ファンとを備え、高圧側熱交換器は外部湯水配管に接続可能であり、低圧側熱交換器は筐体の内部空間を横切って延在して筐体を２つの区画に区分し、圧縮機から膨張機構に至る冷媒回路の高圧側部分が第１区画に配設され、外気は筐体外から第１区画に流入し、低圧側熱交換器を通過して第２区画に流入し、第２区画から筐体外へ流出することを特徴とする給湯装置用ヒートポンプユニット。
【請求項２２】
高圧側熱交換器を外部湯水配管に接続するワンタッチ接続具を備えることを特徴とする請求項２１に記載の給湯装置用ヒートポンプユニット。
【請求項２３】
圧縮機はインバータ制御の電動圧縮機であり、インバータ制御装置が第１区画に配設されていることを特徴とする請求項２１又は２２に記載の給湯装置用ヒートポンプユニット。
【請求項２４】
圧縮機はインバータ制御の電動圧縮機であり、インバータ制御装置は第２区画に配設され、送風ファンは第２区画に配設された排気用ファンであり、インバータ制御装置の放熱器が低圧側熱交換器から排気用ファンに至る空気流中に暴露されていることを特徴とする請求項２１又は２２に記載の給湯装置用ヒートポンプユニット。
【請求項２５】
インバータ制御装置の放熱器が排気用ファンの吸気口近傍に配設されていることを特徴とする請求項２４に記載の給湯装置用ヒートポンプユニット。
【請求項２６】
送風ファンは第２区画に配設された排気用の両吸い込みの遠心ファンであり、低圧側熱交換器の延在方向に吸気口を差し向けて配設されていることを特徴とする請求項２１乃至２５の何れか１項に記載の給湯装置用ヒートポンプユニット。
【請求項２７】
両吸い込み遠心ファンのファンモータ側の翼の翼幅と反対側の翼の翼幅とは同一であり、両吸い込み遠心ファンは第２区画内で低圧側熱交換器の延在方向中央部に対峙する位置からファンモータ側に片寄せて配設されていることを特徴とする請求項２６に記載の給湯装置用ヒートポンプユニット。
【請求項２８】
両吸い込み遠心ファンのファンモータ側の翼の翼幅と反対側の翼の翼幅とは同一であり、低圧側熱交換器のファンモータ側の端部が第２区画側へ屈曲又は湾曲していることを特徴とする請求項２６に記載の給湯装置用ヒートポンプユニット。
【請求項２９】
両吸い込み遠心ファンのファンモータ側の翼の翼幅と反対側の翼の翼幅とは同一であり、低圧側熱交換器のファンモータ側とは反対側の端部が第１区画側へ屈曲又は湾曲していることを特徴とする請求項２６に記載の給湯装置用ヒートポンプユニット。
【請求項３０】
両吸い込み遠心ファンのファンモータ側の翼の翼幅が反対側の翼の翼幅よりも広いことを特徴とする請求項２６に記載の給湯装置用ヒートポンプユニット。
【請求項３１】
互いに間隔を隔てて積層され低圧側熱交換器から排気用両吸い込み遠心ファンの吸気口へ延びる複数の案内板が第２区画に配設されていること特徴とする請求項２６に記載の給湯装置用ヒートポンプユニット。
【請求項３２】
送風ファンは第１区画に給気する給気用ファンであることを特徴とする請求項２１又は２２に記載の給湯装置用ヒートポンプユニット。
【請求項３３】
タンクユニット上にヒートポンプユニットが載置固定されることを特徴とする請求項２１乃至３２の何れか１項に記載の給湯装置用ヒートポンプユニット。
【請求項３４】
ヒートポンプユニットの筐体を上方から見て、低圧側熱交換器が筐体を横断して延在し、第１区画の天井壁に給気口が形成され、第２区画の天井壁に排気口が形成されていることを特徴とする請求項３３に記載の給湯装置用ヒートポンプユニット。
【請求項３５】
ヒートポンプユニットの筐体は上面視で正方形断面を有し、低圧側熱交換器は前記正方形断面の１の隅部から対角線上で対峙する他の１の隅部へ向けて延在し、第１区画の天井壁に給気口が形成され、第２区画の天井壁に排気口が形成されていることを特徴とする請求項３３に記載の給湯装置用ヒートポンプユニット。
【請求項３６】
前記１の隅部と他の１の隅部とを結ぶ対角線に直交する対角線の一方の端部近傍に給気口が配設され、他方の端部近傍に排気口が配設されていることを特徴とする請求項３５に記載の給湯装置用ヒートポンプユニット。
【請求項３７】
低圧側熱交換器はヒートポンプユニットの筐体底壁上に立設され、送風ファンは第２区画に配設された排気用遠心ファンであり、排気用遠心ファンはヒートポンプユニットの筐体底壁から上方に持ち上げられていることを特徴とする請求項３４乃至３６の何れか１項に記載の給湯装置用ヒートポンプユニット。
【請求項３８】
低圧側熱交換器はヒートポンプユニットの筐体底壁上に立設され、給気口下方の第１区画底部に給気口から流入する気流を乱す邪魔部材が配設されていること特徴とする請求項３４乃至３６の何れか１項に記載の給湯装置用ヒートポンプユニット。
【請求項３９】
低圧側熱交換器はヒートポンプユニットの筐体底壁上に立設され、互いに間隔を隔てて上下方向に積層され給気口から低圧側熱交換器へ向けて延びる複数の案内板が第１区画に配設されていること特徴とする請求項３４乃至３６の何れか１項に記載の給湯装置用ヒートポンプユニット。
【請求項４０】
ヒートポンプユニットの冷媒は自然系冷媒であること特徴とする請求項２１乃至３９の何れか１項に記載の給湯装置用ヒートポンプユニット。
【発明の詳細な説明】
【技術分野】
【０００１】
本発明は、ヒートポンプ給湯装置及び給湯装置用ヒートポンプユニットに関するものである。
【背景技術】
【０００２】
筐体と、筐体内に配設された圧縮機と高圧側熱交換器と膨張機構と低圧側熱交換器とこれらの機器を順次連結して冷媒回路を形成する冷媒配管と、筐体に通風する送風ファンとを有するヒートポンプユニットと、筐体と、筐体内に配設された貯湯タンクとヒートポンプユニットの高圧側熱交換器に貯湯タンクを接続して湯水回路を形成する湯水配管とを有するタンクユニットと、湯水回路内の湯水を循環駆動するポンプとを備え、タンクユニットとヒートポンプユニットとは一体に連結固定され、高圧側熱交換器を通過する高温高圧の冷媒が貯湯タンクから供給されて高圧側熱交換器を通過する水に放熱し、低圧側熱交換器を通過する低温低圧の冷媒が低圧側熱交換器を通過する外気から吸熱するヒートポンプ給湯装置が特許文献１に開示されている。
【特許文献１】特開２００４−１３２６７０号公報
【発明の開示】
【発明が解決しようとする課題】
【０００３】
特許文献１のヒートポンプ給湯装置では、ヒートポンプユニットの筐体の側壁に添って低圧側熱交換器を配設し、筐体の中央部に圧縮機と高圧側熱交換器と膨張弁と冷媒配管とを配設し、筐体の天井部に排気ファンを配設している。外気は筐体側壁に形成した給気口と低圧側熱交換器とを通って筐体中央部に流入し、筐体天井壁に形成した排気口を通って筐体から排出される。この結果、稼動中の圧縮機から周囲に放出された熱を低圧側熱交換器で回収できず、成績係数が低下するという問題を生ずる。
本発明は上記問題に鑑みてなされたものであり、筐体と、筐体内に配設された圧縮機と高圧側熱交換器と膨張機構と低圧側熱交換器とこれらの機器を順次連結して冷媒回路を形成する冷媒配管と、筐体に通風する送風ファンとを有するヒートポンプユニットと、筐体と、筐体内に配設された貯湯タンクとヒートポンプユニットの高圧側熱交換器に貯湯タンクを接続して湯水回路を形成する湯水配管とを有するタンクユニットと、湯水回路内の湯水を循環駆動するポンプとを備え、タンクユニットとヒートポンプユニットとは一体に連結固定され、高圧側熱交換器を通過する高温高圧の冷媒が貯湯タンクから供給されて高圧側熱交換器を通過する水に放熱し、低圧側熱交換器を通過する低温低圧の冷媒が低圧側熱交換器を通過する外気から吸熱するヒートポンプ給湯装置であって、特許文献１のヒートポンプ給湯装置に比べて成績係数が向上したヒートポンプ給湯装置を提供することを目的とする。また本発明は、上記ヒートポンプユニットを形成可能なヒートポンプユニットを提供することを目的とする。
【課題を解決するための手段】
【０００４】
上記課題を解決するために、本発明においては、筐体と、筐体内に配設された圧縮機と高圧側熱交換器と膨張機構と低圧側熱交換器とこれらの機器を順次連結して冷媒回路を形成する冷媒配管と、筐体に通風する送風ファンとを有するヒートポンプユニットと、筐体と、筐体内に配設された貯湯タンクとヒートポンプユニットの高圧側熱交換器に貯湯タンクを接続して湯水回路を形成する湯水配管とを有するタンクユニットと、湯水回路内の湯水を循環駆動するポンプとを備え、タンクユニットとヒートポンプユニットとは一体に連結固定され、高圧側熱交換器を通過する高温高圧の冷媒が貯湯タンクから供給されて高圧側熱交換器を通過する水に放熱し、低圧側熱交換器を通過する低温低圧の冷媒が低圧側熱交換器を通過する外気から吸熱し、低圧側熱交換器はヒートポンプユニットの筐体の内部空間を横切って延在して前記内部空間を２つの区画に区分し、圧縮機から膨張機構に至る冷媒回路の高圧側部分が第１区画に配設され、外気はヒートポンプユニットの筐体外から第１区画に流入し、低圧側熱交換器を通過して第２区画に流入し、第２区画からヒートポンプユニットの筐体外へ流出することを特徴とするヒートポンプ給湯装置を提供する。
本発明に係るヒートポンプ給湯装置においては、外気はヒートポンプユニットの筐体の第１区画に流入し、低圧側熱交換器を通過して第２区画に流入し、第２区画からヒートポンプユニットの筐体外へ流出するので、第１区画に配設された冷媒回路の高圧側部分から周囲に放出された熱は、第１区画を通過する外気に伝達され、当該外気が低圧側熱交換器を通過する際に低圧側熱交換器を通過する低圧低温の冷媒に伝達されて回収される。従って、本発明に係るヒートポンプ給湯装置の成績係数は特許文献１のヒートポンプ給湯装置に比べて向上している。
ヒートポンプユニットとポンプユニットとを連結固定して一体化するので、両者を分離して設置場所へ搬入し、現場で一体に組み付けることができる。この結果、設置場所への搬送作業や設置作業が容易になる。
【０００５】
本発明の好ましい態様においては、ヒートポンプユニットの高圧側熱交換器とタンクユニットの湯水配管との接続はワンタッチ接続具を介して行われる。
上記構成により、ヒートポンプユニットとポンプユニットとの連結作業が容易になる。
【０００６】
本発明の好ましい態様においては、圧縮機はインバータ制御の電動圧縮機であり、インバータ制御装置が第１区画に配設されている。
給湯温度を可変制御するために、圧縮機はインバータ制御の電動圧縮機であるのが好ましい。インバータ制御装置を第１区画に配設し、前記制御装置の発熱を低圧側熱交換器で回収することにより、ヒートポンプ給湯装置の成績係数が更に向上する。
【０００７】
本発明の好ましい態様においては、圧縮機はインバータ制御の電動圧縮機であり、インバータ制御装置は第２区画に配設され、送風ファンは第２区画に配設された排気用ファンであり、インバータ制御装置の放熱器が低圧側熱交換器から排気用ファンに至る空気流中に暴露されている。
本発明の好ましい態様においては、インバータ制御装置の放熱器が排気用ファンの吸気口近傍に配設されている。
インバータ制御装置を配設するスペースを第１区画に確保できず、第２区画にインバータ制御装置を配設する場合には、送風ファンとして排気用ファンを第２区画に配設し、インバータ制御装置の放熱器を、低圧側熱交換器から排気用ファンに至る空気流中に暴露し、可能であれは排気用ファンの吸気口近傍に配設して、十分な放熱量を確保するのが、制御装置の保護の観点から望ましい。
【０００８】
本発明の好ましい態様においては、送風ファンは第２区画に配設された排気用の両吸い込みの遠心ファンであり、低圧側熱交換器の延在方向に吸気口を差し向けて配設されている。
送風ファンを第２区画に配設した両吸い込みの遠心ファンとし、吸気口を低圧側熱交換器の延在方向に差し向けることにより、低圧側熱交換器を通過する外気流の流量分布が均一化され、低圧側熱交換器での熱交換が促進される。この結果、ヒートポンプ給湯装置の成績係数が更に向上する。
【０００９】
本発明の好ましい態様においては、両吸い込み遠心ファンのファンモータ側の翼の翼幅と反対側の翼の翼幅とは同一であり、両吸い込み遠心ファンは第２区画内で低圧側熱交換器の延在方向中央部に対峙する位置からファンモータ側に片寄せて配設されている。
本発明の好ましい態様においては、両吸い込み遠心ファンのファンモータ側の翼の翼幅と反対側の翼の翼幅とは同一であり、低圧側熱交換器のファンモータ側の端部が第２区画側へ屈曲又は湾曲している。
本発明の好ましい態様においては、両吸い込み遠心ファンのファンモータ側の翼の翼幅と反対側の翼の翼幅とは同一であり、低圧側熱交換器のファンモータ側とは反対側の端部が第１区画側へ屈曲又は湾曲している。
本発明の好ましい態様においては、両吸い込み遠心ファンのファンモータ側の翼の翼幅が反対側の翼の翼幅よりも広い。
両吸い込みの遠心ファンにおいては、ファンモータが流動抵抗となって、ファンモータ側の吸気口への吸い込み流量が他側に比べて減少する傾向がある。従って両吸い込みの遠心ファンを、吸気口を低圧側熱交換器の延在方向へ差し向けて第２区画に配設する場合には、両吸い込み遠心ファンを第２区画内で低圧側熱交換器の延在方向中央部に対峙する位置からファンモータ側に片寄せて配設してファンモータ側の吸気口へ吸い込まれる空気が通過する低圧側熱交換器の面積を減少させ、或いは低圧側熱交換器のファンモータ側の端部を第２区画側へ屈曲又は湾曲させて低圧側熱交換器のファンモータ側端部をファンモータ側の吸気口へ接近させ、或いは低圧側熱交換器のファンモータ側とは反対側の端部を第１区画側へ屈曲又は湾曲させて低圧側熱交換器のファンモータ側とは反対側の端部をファンモータ側とは反対側の吸気口から遠ざけ、或いはファンモータ側の翼の翼幅を反対側の翼の翼幅よりも広げて、ファンモータ側の吸い込み流量を増加させ、或いはファンモータ側とは反対側の吸い込み流量を減少させて、低圧側熱交換器を通過する空気の流量分布を均一化させることが望ましい。低圧側熱交換器を通過する空気の流量分布が均一化することにより、低圧側熱交換器での熱交換が促進され、ヒートポンプ給湯装置の成績係数が向上する。
【００１０】
本発明の好ましい態様においては、互いに間隔を隔てて積層され低圧側熱交換器から排気用両吸い込み遠心ファンの吸気口へ延びる複数の案内板が第２区画に配設されている。
低圧側熱交換器を通過した空気を、互いに間隔を隔てて積層された複数の案内板を介して遠心ファンの吸気口へ導くことにより、低圧側熱交換器の前記吸気口から離隔した部位を通過した空気を遠心ファンの吸気口へスムーズに導くことが可能になる。この結果、低圧側熱交換器の前記吸気口から離隔した部位を通過する空気の流量が増加し、低圧側熱交換器を通過する空気の流量分布が均一化されて、低圧側熱交換器での熱交換が促進され、ヒートポンプ給湯装置の成績係数が向上する。
【００１１】
本発明の好ましい態様においては、送風ファンは第１区画に給気する給気用ファンである。
第２区画内に排気用ファンを配設するのに代えて、第１区画に給気する給気用ファンを配設しても良い。給気用ファンは第１区画内に配設しても良く或いは筐体囲壁の第１区画を形成する部位の外側に取り付けても良い。
【００１２】
本発明の好ましい態様においては、タンクユニット上にヒートポンプユニットが載置固定される
上記構成によりヒートポンプ給湯装置の上面視形状が小型化され、設置場所の選択自由度が増す。
タンクユニットの上にヒートポンプユニットを載置したヒートポンプ給湯装置は、設置面積が小さいので室内にも設置できる。
【００１３】
本発明の好ましい態様においては、ヒートポンプユニットの筐体を上方から見て、低圧側熱交換器が筐体を横断して延在し、第１区画の天井壁に給気口が形成され、第２区画の天井壁に排気口が形成されている。
タンクユニット上にヒートポンプユニットを載置固定したヒートポンプ給湯装置を室内に設置した場合、給気ダクトや排気ダクトをヒートポンプユニットの筐体の側面に接続すると、ヒートポンプ給湯装置に隣接して置かれた家具や備品と干渉するおそれがある。従って、給気ダクトや排気ダクトをヒートポンプユニットの筐体の上面に接続するのが望ましい。この場合、ヒートポンプユニットの筐体を上方から見て、低圧側熱交換器が筐体を横断するように低圧側熱交換器を配設し、圧縮機等が配設される第１区画の天井壁に給気口を形成し、第２区画の天井壁に排気口を形成すれば良い。
【００１４】
本発明の好ましい態様においては、ヒートポンプユニットの筐体は上面視で正方形断面を有し、低圧側熱交換器は前記正方形断面の１の隅部から対角線上で対峙する他の１の隅部へ向けて延在し、第１区画の天井壁に給気口が形成され、第２区画の天井壁に排気口が形成されている。
ヒートポンプユニットの筐体の断面は、製造の容易性を勘案すると長方形又は正方形が望ましい。同一面積の長方形の周長と正方形の周長とを比較すると正方形の周長が長方形の周長よりも短い。従って、筐体の断面を正方形とすることにより、小型で十分な容積を有する筐体を得ることができる。正方形断面の１の隅部から対角線上で対峙する他の１の隅部へ向けて低圧側熱交換器を延在させることにより、低圧側熱交換器の延在長さを大きくして、低圧側熱交換器の熱回収能力を高めることができる。
【００１５】
本発明の好ましい態様においては、前記１の隅部と他の１の隅部とを結ぶ対角線に直交する対角線の一方の端部近傍に給気口が配設され、他方の端部近傍に排気口が配設されている。
給気口と低圧側熱交換器との間の距離を大きくとり、給気口から流入した外気を低圧側熱交換器に到達するまでに分散させることにより、低圧側熱交換器を通過する空気の流量分布が均一化される。この結果、低圧側熱交換器での熱交換が促進され、ヒートポンプ給湯装置の成績係数が向上する。排気口と低圧側熱交換器との間の距離を大きくとり、低圧側熱交換器から排気口に至る空気流の流線の曲がり具合を少なくすることにより、第２区画から筐体外への空気の排出が促進される。この結果、送風ファンの風圧の低減、ひいては送風ファンモータの動力低減が可能になり、またヒートポンプ給湯装置が静穏化される。
【００１６】
本発明の好ましい態様においては、低圧側熱交換器はヒートポンプユニットの筐体底壁上に立設され、送風ファンは第２区画に配設された排気用遠心ファンであり、排気用遠心ファンはヒートポンプユニットの筐体底壁から上方に持ち上げられている。
給気口から筐体内へ流入した外気は高速下降流となって筐体底部に到達するので、筐体底壁上に立設された低圧側熱交換器の下部が筐体底部に近接していると当該下部を通過する風量が大になり、上部を通過する風量が小になる。遠心ファンをヒートポンプユニットの筐体底壁から上方に持ち上げ、筐体底壁に衝突して上方へ吹き上げられ乱された外気を低圧側熱交換器に通すことにより、低圧側熱交換器を通過する空気の流量分布が均一化され、低圧側熱交換器による熱回収効率が向上し、ヒートポンプ給湯装置の成績係数が向上する。
【００１７】
本発明の好ましい態様においては、低圧側熱交換器はヒートポンプユニットの筐体底壁上に立設され、給気口下方の第１区画底部に給気口から流入する気流を乱す邪魔部材が配設されている。
本発明の好ましい態様においては、低圧側熱交換器はヒートポンプユニットの筐体底壁上に立設され、互いに間隔を隔てて上下方向に積層され給気口から低圧側熱交換器へ向けて延びる複数の案内板が第１区画に配設されている。
ヒートポンプユニットの筐体天井壁に形成された給気口を通って第１区画に流入した外気は高速下降流となって第１区画の底部に到達するので、低圧側熱交換器をヒートポンプユニットの筐体底壁上に立設した場合、低圧側熱交換器の下部を通過する空気の流量が上部を通過する空気の流量に比べて大になる可能性がある。従って、給気口下方の第１区画底部に給気口から流入する気流を乱す邪魔部材を配設し、或いは互いに間隔を隔てて上下方向に積層され給気口から低圧側熱交換器へ向けて延びる複数の案内板を第１区画に配設して、低圧側熱交換器を通過する空気の流量分布を均一化するのが望ましい。低圧側熱交換器を通過する空気の流量分布が均一化されることにより、低圧側熱交換器での熱交換が促進され、ヒートポンプ給湯装置の成績係数が向上する。
【００１８】
本発明の好ましい態様においては、ヒートポンプユニットの冷媒は自然系冷媒である。
炭酸ガス、アンモニアガス、炭化水素系ガス等のオゾン層を破壊しない自然系冷媒の使用は、環境保全の観点から望ましい。
【００１９】
本発明においては、筐体と、筐体内に配設された圧縮機と高圧側熱交換器と膨張機構と低圧側熱交換器とこれらの機器を順次連結して冷媒回路を形成する冷媒配管と、筐体に通風する送風ファンとを備え、高圧側熱交換器は外部湯水配管に接続可能であり、低圧側熱交換器は筐体の内部空間を横切って延在して筐体を２つの区画に区分し、圧縮機から膨張機構に至る冷媒回路の高圧側部分が第１区画に配設され、外気は筐体外から第１区画に流入し、低圧側熱交換器を通過して第２区画に流入し、第２区画から筐体外へ流出することを特徴とする給湯装置用ヒートポンプユニットを提供する。
本発明に係るヒートポンプユニットにおいては、外気はヒートポンプユニットの筐体の第１区画に流入し、低圧側熱交換器を通過して第２区画に流入し、第２区画からヒートポンプユニットの筐体外へ流出するので、第１区画に配設された冷媒回路の高圧側部分から周囲に放出された熱は、第１区画を通過する外気に伝達され、当該外気が低圧側熱交換器を通過する際に低圧側熱交換器を通過する低圧低温の冷媒に伝達されて回収される。従って、本発明に係るヒートポンプユニットの成績係数は特許文献１のヒートポンプ給湯装置が備えるヒートポンプユニットに比べて向上している。本発明に係るヒートポンプユニットを外部湯水配管に接続することにより、特許文献１のヒートポンプ給湯装置に比べて成績計数が向上したヒートポンプ式給湯装置を形成することができる。
【発明の効果】
【００２０】
本発明により、筐体と、筐体内に配設された圧縮機と高圧側熱交換器と膨張機構と低圧側熱交換器とこれらの機器を順次連結して冷媒回路を形成する冷媒配管と、筐体に通風する送風ファンとを有するヒートポンプユニットと、筐体と、筐体内に配設された貯湯タンクとヒートポンプユニットの高圧側熱交換器に貯湯タンクを接続して湯水回路を形成する湯水配管とを有するタンクユニットと、湯水回路内の湯水を循環駆動するポンプとを備え、タンクユニットとヒートポンプユニットとは一体に連結固定され、高圧側熱交換器を通過する高温高圧の冷媒が貯湯タンクから供給されて高圧側熱交換器を通過する水に放熱し、低圧側熱交換器を通過する低温低圧の冷媒が低圧側熱交換器を通過する外気から吸熱するヒートポンプ給湯装置であって、特許文献１のヒートポンプ給湯装置に比べて成績係数が向上したヒートポンプ給湯装置が提供される。また本発明により、特許文献１のヒートポンプ給湯装置に比べて成績係数が向上したヒートポンプ給湯装置を形成可能なヒートポンプユニットが提供される。
【発明を実施するための最良の形態】
【００２１】
本発明の実施例に係るヒートポンプ給湯装置を説明する。
図１に示すように、ヒートポンプ給湯装置Ａは、冷媒である炭酸ガスを圧縮するインバータ制御の電動圧縮機１と高圧側熱交換器２と膨張弁３と低圧側熱交換器４とこれらの機器を順次連結して冷媒回路を形成する冷媒配管５と排気用電動送風ファン６とが筐体７内に配設されたヒートポンプユニットＢと、貯湯タンク８とポンプ９とこられの機器とヒートポンプユニットＢの高圧側熱交換器２とを順次連結して湯水回路を形成する湯水配管１０と貯湯タンク８に接続した給水配管１１と出湯配管１２とが筐体１３内に配設されたタンクユニットＣとを備えている。
【００２２】
図２に示すように、タンクユニットＣの筐体１３上にヒートポンプユニットＢの筐体７が載置され、筐体１３と一体に連結固定されている。ヒートポンプユニットＢの高圧側熱交換器２とタンクユニットＣの湯水配管１０との接続は図示しないワンタッチ接続具を介して行われている。
図２、３に示すように、ヒートポンプユニットＢの筐体７は上面視で略正方形断面の直方体を形成している。筐体７の底壁に立設されて天井壁まで達し、且つ前記略正方形断面の１の隅部から対角線上で対峙する他の１の隅部へ向けて筐体７の内部空間を横切って延在する、衝立状の低圧側熱交換器４によって、筐体７は２つの区画７ａ、７ｂに区分されている。
図２〜４に示すように、第１区画７ａの低圧側熱交換器４に対峙する隅部に電動圧縮機１が配設され、第１区画７ａの電動圧縮機１と低圧側熱交換器４とに挟まれた部位に高圧側熱交換器２が配設されている。第１区画７ａには更に、膨張弁３と冷媒配管５とが配設されている。
図３、４に示すように、第２区画７ｂの低圧側熱交換器４に対峙する隅部と低圧側熱交換器４とに挟まれた部位に排気用電動送付ファン６が配設され、第２区画７ｂの排気用電動送風ファン６と低圧側熱交換器４とに挟まれた部位に且つ筐体７の側壁に沿って電動圧縮機１のインバータ制御装置１４が配設されている。排気用電動送風ファン６は、両吸い込みのシロッコファンであり、互いに対峙する一対の吸気口６ａを低圧側熱交換器４の延在方向へ差し向けて、より具体的には筐体７の前記略正方形断面の１の隅部から他の１の隅部へ向かう対角線に平行に差し向けて、且つ排気口６ｂを上方へ差し向けて、配設されている。インバータ制御装置１４の放熱器１４ａは排気用電動送風ファン６の吸気口６ａの近傍に且つ吸気口６ａに対峙して配設されている。
【００２３】
図２、３に示すように、筐体７の第１区画７ａの天井壁に且つ電動圧縮機１の直上に給気口１５が形成され、第２区画７ｂの天井壁に且つ排気用電動送風ファン６の排気口６ｂの直上に排気口１６が形成されている。図３から分かるように、前記略正方形断面の１の隅部から他の１の隅部へ向かう対角線に直交する対角線の一方の端部近傍に給気口１５が配設され、他方の端部近傍に排気口１６が配設されている。図３から分かるように排気用電動送風ファン６の排気口６ｂは矩形であり、排気口６ｂに対峙する排気口１６は円形である。矩形の排気口６ｂと円形の排気口１６とを連結する図示しない排気管が第２区画７ｂ内に配設されている。
ヒートポンプ給湯装置Ａは、室内に設置されている。給気口１５には室天井部から垂下する図示しない給気ダクトが接続し、排気口１６には室天井部から垂下する図示しない排気ダクトが接続している。
【００２４】
ヒートポンプ給湯装置Ａの作動を説明する。
ヒートポンプユニットＢにおいては、排気用電動送風ファン６が作動し、外気が、図示しない給気ダクトと給気口１５とを介して筐体７の第１区画７ａに流入し、低圧側熱交換器４を通過して第１区画７ａから第２区画７ｂに流入し、吸気口６ａを介して排気用電動送風ファン６に吸引され、排気口６ｂ、１６と図示しない排気ダクトとを介して外部環境へ流出する。
電動圧縮機１が作動して冷媒である炭酸ガスを圧縮する。圧縮された高温高圧の炭酸ガスは、高圧側熱交換器２を通過する際に、後述する貯湯タンク８から供給されて高圧側熱交換器２を通過する水に放熱して液化し、膨張弁３を通過して減圧され、低圧側熱交換器４を通過する際に低圧側熱交換器４を通過する外気から吸熱して気化し、電動圧縮機１に戻る。
タンクユニットＣにおいては、ポンプ９が作動し、常時満水にされた貯湯タンク８の底部から湯水配管１０を通って常温の水をヒートポンプユニットＢの高圧側熱交換器２へ送水する。常温の水は高圧側熱交換器２を通過する際に高圧側熱交換器２を通過する高温の炭酸ガスから吸熱して高温の湯となり、貯湯タンク８の上部に戻る。貯湯タンク８内の常温水は経時的に上部から下部へ向けて順次高温化し、終には貯湯タンク８内の常温水全体が高温化して湯になる。貯湯タンク８内の湯は、貯湯タンク８の上部から給湯配管１２を介して各種水回り機器に供給される。給湯配管１２を介して貯湯タンク８から湯が流出するのに連動して、給水配管１１を介して常温水が貯湯タンク８の底部に流入する。この結果貯湯タンク８は常時満水状態に維持される。
インバータ制御装置１４が電動圧縮機１の回転数を可変制御することにより、ヒートポンプ給湯装置Ａの給湯能力が可変制御される。
【００２５】
ヒートポンプ給湯装置Ａにおいては、外気は筐体７の第１区画７ａに流入し、低圧側熱交換器４を通過して第２区画７ｂへ流入し、排気用ファン６に吸引され、第２区画７ｂから筐体７外へ流出するので、第１区画７ａ内に配設された電動圧縮機１から膨張弁３に至る冷媒回路の高温の高圧側部分から周囲に放出された熱は、第１区画７ａを通過する外気に伝達され、当該外気が低圧側熱交換器４を通過する際に、低圧側熱交換器４を通過する低温の炭酸ガスに伝達されて回収される。従って、ヒートポンプ給湯装置Ａの成績係数は特許文献１のヒートポンプ給湯装置に比べて向上している。
排気用電動送風ファン６は両吸い込みのシロッコファンであり、吸気口６ａを低圧側熱交換器４の延在方向へ差し向けているので、図３に複数の白抜き矢印で示すように、一方の吸気口６ａに向かう外気流と他方の吸気口６ａに向かう外気流とが別個独立に低圧側熱交換器４を通過する。この結果、低圧側熱交換器４を通過する外気流の流量分布が均一化され、低圧側熱交換器４での熱交換が促進され、ヒートポンプ給湯装置Ａの成績係数が更に向上する。
ヒートポンプユニットの筐体７は正方形断面を有するので製造が容易である。同一面積の長方形の周長と正方形の周長とを比較すると正方形の周長が長方形の周長よりも短い。筐体７の断面を正方形としたので、小型で十分な容積を有する筐体７が得られた。正方形断面の１の隅部から対角線上で対峙する他の１の隅部へ向けて低圧側熱交換器４を延在させたので、低圧側熱交換器４は延在長さが大きく熱回収能力が大きい。
【００２６】
図３の白抜き矢印から分かるように、インバータ制御装置１４の放熱器１４ａは、低圧側熱交換器４から排気用電動送風ファン６の吸気口６ａに至る外気流中に暴露されており、且つ排気用電動送風ファン６の吸気口６ａ近傍に配設されているので、十分な放熱量を確保することができる。この結果、インバータ制御装置１４が高熱による劣化から保護される。
【００２７】
タンクユニットＣの上にヒートポンプユニットＢを載置したヒートポンプ給湯装置Ａは、設置面積が小さいので室内にも設置できる。ヒートポンプ給湯装置Ａを室内に設置した場合、給気ダクトや排気ダクトをヒートポンプユニットＢの筐体７の側面に接続すると、ヒートポンプ給湯装置Ａに隣接して置かれた家具や備品と干渉するおそれがある。上面視で正方形断面を有するようにヒートポンプユニットＢの筐体７を形成し、前記正方形断面の１の隅部から対角線上で対峙する他の１の隅部へ向けて低圧側熱交換器４を延在させ、電動圧縮機１等が配設される第１区画７ａの天井壁に給気口１５を形成し、排気用電動送風ファン６が配設される第２区画７ｂの天井壁に排気口１６を形成したので、給気ダクトや排気ダクトは室内天井部から垂下させれば良い。この結果、ヒートポンプ給湯装置Ａに隣接して置かれた家具や備品と給気ダクトや排気ダクトとの干渉が防止される。
ヒートポンプユニットＢとポンプユニットＣとを連結固定して一体化するので、両者を分離して設置場所へ搬入し、現場で一体に組み付けることができる。この結果、設置場所への搬送作業や設置作業が容易になる。
ヒートポンプユニットＢの高圧側熱交換器２とタンクユニットＣの湯水配管１０との接続はワンタッチ接続具を介して行われるので、ヒートポンプユニットＢとポンプユニットＣとの連結作業が容易である。
正方形の対角線の一方の端部近傍に給気口１５を配設し、給気口１５と低圧側熱交換器４との間の距離を大きくとり、給気口１５から流入した外気を低圧側熱交換器４に到達するまでに分散させることにより、低圧側熱交換器４を通過する空気の流量分布が均一化される。この結果、低圧側熱交換器４での熱交換が促進され、ヒートポンプ給湯装置Ａの成績係数が向上する。正方形の対角線の他方の端部近傍に排気口１６を配設し、排気口１６と低圧側熱交換器４との間の距離を大きくとり、低圧側熱交換器４から排気口１６に至る空気流の流線の曲がり具合を少なくすることにより、第２区画７ｂから筐体７外への空気の排出が促進される。この結果、排気用送風ファン６の風圧の低減、ひいては送風ファンモータの動力低減が可能になり、またヒートポンプ給湯装置Ａが静穏化される。
炭酸ガス冷媒は自然系冷媒であり、オゾン層を破壊しないので、環境保護の観点からヒートポンプユニットＢの冷媒として望ましい。
【００２８】
第１区画７ａの容積に余裕がある場合には、第１区画７ａにインバータ制御装置１４を配設しても良い。放熱器１４ａが周囲に放出する熱を低圧側熱交換器４で回収できるので、ヒートポンプ給湯装置Ａの成績係数が更に向上する。
【００２９】
排気用電動送風ファン６のファンモータ６ｃ側の翼の翼幅と反対側の翼の翼幅とが等しい場合、図５に示すように、排気用電動送風ファン６を第２区画７ｂ内で低圧側熱交換器４の延在方向中央部に対峙する位置からファンモータ６ｃ側に片寄せて配設しても良く、或いは図６に示すように、低圧側熱交換器４のファンモータ６ｃ側の端部を第２区画７ｂ側へ屈曲させても良く、或いは低圧側熱交換器４のファンモータ６ｃ側と反対側の端部を第１区画７ａ側へ屈曲させても良い。屈曲に代えて湾曲でも良い。
図７に示すように、排気用電動送風ファン６のファンモータ６ｃ側の翼の翼幅を反対側の翼の翼幅よりも広くしても良い。
両吸い込みのシロッコファンである排気用電動送風ファン６においては、ファンモータ６ｃが流動抵抗となって、ファンモータ６ｃ側の吸気口６ａへの吸い込み流量が他側に比べて減少する傾向がある。従って排気用電動送風ファン６を、吸気口６ａを低圧側熱交換器４の延在方向へ差し向けて第２区画７ｂに配設する場合には、排気用電動送風ファン６を第２区画７ｂ内で低圧側熱交換器４の延在方向中央部に対峙する位置からファンモータ６ｃ側に片寄せて配設して、ファンモータ６ｃ側の吸気口６ａへ吸い込まれる空気が通過する低圧側熱交換器４の面積を減少させ、或いは低圧側熱交換器４のファンモータ６ｃ側の端部を第２区画７ｂ側へ屈曲又は湾曲させ当該端部を吸気口６ａに接近させて、或いはファンモータ６ｃ側の翼の翼幅を反対側の翼の翼幅よりも広げて、ファンモータ６ｃ側の吸い込み流量を増加させ、或いは低圧側熱交換器４のファンモータ６ｃ側とは反対側の端部を第１区画７ａ側へ屈曲又は湾曲させ当該端部を吸気口６ｂから遠ざけて、ファンモータ６ｃ側とは反対側の吸い込み流量を減少させて、低圧側熱交換器４を通過する空気の流量分布を均一化させることが望ましい。低圧側熱交換器４を通過する空気の流量分布が均一化することにより、低圧側熱交換器４での熱交換が促進され、ヒートポンプ給湯装置Ａの成績係数が向上する。
【００３０】
図８に示すように、互いに間隔を隔てて水平方向に積層され低圧側熱交換器４から排気用電動送風ファン６の吸気口６ａへ延びる複数の案内板１７を第２区画７ｂに配設しても良い。
低圧側熱交換器４を通過した空気を、互いに間隔を隔てて積層された複数の湾曲或いは屈曲した案内板１７を介して排気用電動送風ファン６の吸気口６ａへ導くことにより、低圧側熱交換器４の前記吸気口６ａから離隔した両端部を通過した空気を排気用電動送風ファン６の吸気口６ａへスムーズに導くことが可能になる。この結果、低圧側熱交換器４の前記吸気口６ａから離隔した両端部を通過する空気の流量が増加し、低圧側熱交換器４を通過する空気の流量分布が均一化されて、低圧側熱交換器４での熱交換が促進され、ヒートポンプ給湯装置Ａの成績係数が向上する。
【００３１】
図９に示すように、台部材或いは脚部材１８を筐体７の底壁に固定し、部材１８に排気用電動送風ファン６を固定して、排気用電動送風ファン６をヒートポンプユニットＢの筐体７の底壁から上方に持ち上げても良い。
給気口１５から筐体７内へ流入した外気は高速下降流となって筐体７の底部に到達するので、筐体７の底壁上に立設された低圧側熱交換器４の下部が筐体７の底部に近接していると当該下部を通過する風量が大になり、上部を通過する風量が小になる。排気用電動送風ファン６をヒートポンプユニットの筐体７の底壁から上方に持ち上げ、筐体７の底壁に衝突して上方へ吹き上げられ乱された外気を低圧側熱交換器４に通すことにより、低圧側熱交換器４を通過する空気の流量分布が均一化され、低圧側熱交換器４による熱回収効率が向上し、ヒートポンプ給湯装置Ａの成績係数が向上する。
【００３２】
図９に示すように、給気口１５下方の第１区画７ａ底部に給気口１５から流入する気流を乱す邪魔部材１９を配設しても良い。
図９に示すように、互いに間隔を隔てて上下方向に積層され給気口１５から低圧側熱交換器４へ向けて延びる複数の湾曲或いは屈曲した案内板２０を第１区画７ａに配設しても良い。
ヒートポンプユニットＢの筐体７の天井壁に形成された給気口１５を通って第１区画７ａに流入した外気は高速下降流となって第１区画７ａの底部に到達するので、低圧側熱交換器４の下部を通過する空気の流量が上部を通過する空気の流量に比べて大になる可能性がある。従って、給気口１５下方の第１区画７ａ底部に給気口１５から流入する気流を乱す邪魔部材１９を配設し、或いは互いに間隔を隔てて上下方向に積層され給気口１５から低圧側熱交換器４へ向けて延びる複数の湾曲或いは屈曲した案内板２０を第１区画７ａに配設して、低圧側熱交換器４を通過する空気の流量分布を均一化するのが望ましい。低圧側熱交換器４を通過する空気の流量分布が均一化されることにより、低圧側熱交換器４での熱交換が促進され、ヒートポンプ給湯装置Ａの成績係数が向上する。
【００３３】
ヒートポンプユニットＢの側方にタンクユニットＣを置いて、両者を一体に連結固定しても良い。或いはヒートポンプユニットＢの上にタンクユニットＣを載置して両者を一体に連結固定しても良い。
図３に示すように低圧側熱交換器４を対角線方向に直線状に延在させるのに代えて、対角線方向に蛇行状に延在させても良く、或いは対角線方向に円弧状に延在させても良い。
膨張弁３に代えて、キャピラリーチューブ等の他の膨張機構を用いても良い。
排気用電動送風ファン６として、前進翼を有する多翼遠心ファンであるシロッコファンに代えて後退翼を有する多翼遠心ファンや、径向翼を有する多翼遠心ファン等、構造の異なる遠心ファンを使用しても良い。シロッコファンには小型で大きな風量が得られる利点がある。遠心ファンは両吸い込みであるのが望ましいが、片吸い込みでも良い。
多翼遠心ファンに代えてクロスフローファンを用いても良い。
排気用電動送風ファン６を第２区画７ｂに配設するのに代えて、給気用電動ファンを第１区画７ａに配設し、或いは給気口１５の外側に取り付けても良い。
ヒートポンプユニットＢの筐体７の上面視形状は正方形に限定されない、任意の多角形でも良く円形でも良く、或いは長円形や楕円形でも良い。
給気口１５、排気口１６、排気口６ｂの形状は特定の形状に限定されない。
ポンプ９をタンクユニットＣに組み込むのに代えてヒートポンプユニットＢに組み込んでも良い。
膨張弁３から低圧側熱交換器４に至る冷媒配管５や低圧側熱交換器４から電動圧縮機１に至る冷媒配管５の一部等の、冷媒回路の低温の低圧側部分の一部を第２区画７ｂに配設しても良い。
ヒートポンプ給湯装置Ａを屋外に配設しても良い。
炭酸ガスに代えてアンモニア、炭化水素系ガスなどの他の自然系冷媒を用いても良い。
【図面の簡単な説明】
【００３４】
【図１】本発明の実施例に係るヒートポンプ給湯装置の構成を示す模式図である。
【図２】本発明の実施例に係るヒートポンプ給湯装置の縦断面図である。
【図３】本発明の実施例に係るヒートポンプ給湯装置が備えるヒートポンプユニットの上方から見た断面図である。
【図４】図３のＩＶ−ＩＶ矢視図である。
【図５】低圧側熱交換器と排気用電動ファンとに着目した、本発明の実施例に係るヒートポンプ給湯装置が備えるヒートポンプユニットの上方から見た断面図である。
【図６】低圧側熱交換器と排気用電動ファンとに着目した、本発明の実施例に係るヒートポンプ給湯装置が備えるヒートポンプユニットの上方から見た断面図である。
【図７】低圧側熱交換器と排気用電動ファンとに着目した、本発明の実施例に係るヒートポンプ給湯装置が備えるヒートポンプユニットの上方から見た断面図である。
【図８】低圧側熱交換器と排気用電動ファンとに着目した、本発明の実施例に係るヒートポンプ給湯装置が備えるヒートポンプユニットの上方から見た断面図である。
【図９】本発明の実施例に係るヒートポンプ給湯装置のヒートポンプユニットの縦断面図である。
【符号の説明】
【００３５】
Ａ  ヒートポンプ給湯装置
Ｂ  ヒートポンプユニット
Ｃ  タンクユニット
１  電動圧縮機
２  高圧側熱交換器
３  膨張弁
４  低圧側熱交換器
５  冷媒配管
６  排気用電動ファン
６ａ  吸気口
６ｂ  排気口
６ｃ  ファンモータ
７  筐体
８  貯湯タンク
９  ポンプ
１０  湯水配管
１１  給水配管
１２  給湯配管
１３  筐体
１４  インバータ制御装置
１４ａ  放熱器
１５  給気口
１６  排気口
１７、２０  案内板
１８  台部材
１９  邪魔部材
【図１】
2010096461.tif 000003
【図２】
2010096461.tif 000004
【図３】
2010096461.tif 000005
【図４】
2010096461.tif 000006
【図５】
2010096461.tif 000007
【図６】
2010096461.tif 000008
【図７】
2010096461.tif 000009
【図８】
2010096461.tif 000010
【図９】
2010096461.tif 000011